(57)【要約】      （修正有）【課題】撮影対象物のブラインド領域の低減を実現することができる放射線撮影装置を提供する。【解決手段】天板１１０の開口部から挿入された撮影対象物に対して、放射線を発生させる放射線発生部と、放射線発生部と対向する位置に配置され、放射線発生部で発生させた放射線を検出する放射線検出部１３０と、放射線発生部と放射線検出部１３０とを回転させる回転機構部とを備え、放射線検出部１３０は、放射線を電気信号に変換する変換部１３１ーＬ、１３１−Ｒと、電気信号を読み出す読出部を含む信号処理部１３２ーＬ、１３２−Ｒとを有し、天板１１０の面５０１と変換部１３１−Ｌ、１３１−Ｒとの間には、読出部を含む信号処理部１３２−Ｌ、１３２−Ｒを設けない。【選択図】図５
2019055127.tif 000002
【特許請求の範囲】
【請求項１】
放射線を用いて撮影対象物を撮影する放射線撮影装置であって、
天板の開口部から挿入された前記撮影対象物に対して、前記放射線を発生させる放射線発生部と、
前記放射線発生部と対向する位置に配置され、前記放射線発生部で発生させた前記放射線を検出する放射線検出部と、
前記放射線発生部と前記放射線検出部とを回転させる回転機構部と、
を備え、
前記放射線検出部は、前記放射線を電気信号に変換する変換部と、前記電気信号を読み出す読出部とを有し、前記天板と前記変換部との間には、前記読出部が設けられていないことを特徴とする放射線撮影装置。
【請求項２】
前記読出部は、前記変換部に対して、前記天板から前記変換部に向かう方向と交差する方向に設けられていることを特徴とする請求項１に記載の放射線撮影装置。
【請求項３】
前記読出部が前記電気信号を読み出す方向は、前記天板と略平行の方向であることを特徴とする請求項１または２に記載の放射線撮影装置。
【請求項４】
前記放射線検出部は、前記変換部を駆動させる駆動部を更に有し、
前記天板と前記変換部との間には、前記駆動部が設けられていないことを特徴とする請求項１乃至３のいずれか１項に記載の放射線撮影装置。
【請求項５】
前記変換部は、結晶シリコンまたは非晶質シリコンを主材料として形成されていることを特徴とする請求項１乃至４のいずれか１項に記載の放射線撮影装置。
【請求項６】
前記放射線発生部は、前記撮影対象物の全領域未満の領域であって当該全領域の半分以上の領域を照射する前記放射線を発生させることを特徴とする請求項１乃至５のいずれか１項に記載の放射線撮影装置。
【請求項７】
前記放射線発生部は、前記放射線を透過させない第１のフィルター部と前記放射線を透過させる第２のフィルター部とを有するウェッジフィルターを介して、前記撮影対象物に対して前記放射線を発生させることを特徴とする請求項１乃至６のいずれか１項に記載の放射線撮影装置。
【請求項８】
放射線を用いて撮影対象物を撮影する放射線撮影装置であって、
天板の開口部から挿入された前記撮影対象物に対して、前記放射線を発生させる放射線発生部と、
前記放射線発生部と対向する位置に配置され、前記放射線発生部で発生させた前記放射線を検出する放射線検出部と、
前記放射線発生部と前記放射線検出部とを回転させる回転機構部と、
を備え、
前記放射線検出部は、前記放射線を電気信号に変換する変換部と、前記電気信号を読み出す読出部とを有し、前記天板と前記変換部との間以外の領域に前記読出部が設けられていることを特徴とする放射線撮影装置。
【発明の詳細な説明】
【技術分野】
【０００１】
本発明は、放射線を用いて撮影対象物を撮影する放射線撮影装置に関するものである。
【背景技術】
【０００２】
従来から、Ｘ線等の放射線を用いて、開口部に挿入された被検者の一部である撮影対象物を撮影する放射線撮影装置が提案されている（例えば、特許文献１）。具体的に、特許文献１には、撮影対象物として被検者の乳房を適用し、開口部に挿入された乳房を放射線撮影する放射線撮影装置が記載されている。また、特許文献１では、撮影対象物を放射線撮影する際に、撮影対象物の全領域に放射線を照射するフルスキャンを行う技術が記載されている。
【先行技術文献】
【特許文献】
【０００３】
【特許文献１】特開２０１０−６８９２９号公報
【特許文献２】国際公開第２００９／０６３９７４号
【発明の概要】
【発明が解決しようとする課題】
【０００４】
特許文献１では、上述したようにフルスキャンを行って撮影対象物を放射線撮影しているため、撮影対象物を透過した放射線を検出する放射線検出部の大きさを大きくする必要があり、装置コストが高くなる等の問題がある。この点を考慮して、例えば特許文献２に記載の技術のように、撮影対象物を放射線撮影する際に、撮影対象物の一部の領域に放射線を照射するオフセットスキャンを行うことが考えられる。しかしながら、特許文献２では、放射線撮影できない撮影対象物のブラインド領域に関しては何ら考慮されていない。
【０００５】
本発明は、このような問題点に鑑みてなされたものであり、撮影対象物のブラインド領域の低減を実現することができる放射線撮影装置を提供することを目的とする。
【課題を解決するための手段】
【０００６】
本発明の放射線撮影装置は、放射線を用いて撮影対象物を撮影する放射線撮影装置であって、天板の開口部から挿入された前記撮影対象物に対して、前記放射線を発生させる放射線発生部と、前記放射線発生部と対向する位置に配置され、前記放射線発生部で発生させた前記放射線を検出する放射線検出部と、前記放射線発生部と前記放射線検出部とを回転させる回転機構部と、を備え、前記放射線検出部は、前記放射線を電気信号に変換する変換部と、前記電気信号を読み出す読出部とを有し、前記天板と前記変換部との間には、前記読出部が設けられていない。
本発明の放射線撮影装置における他の態様は、放射線を用いて撮影対象物を撮影する放射線撮影装置であって、天板の開口部から挿入された前記撮影対象物に対して、前記放射線を発生させる放射線発生部と、前記放射線発生部と対向する位置に配置され、前記放射線発生部で発生させた前記放射線を検出する放射線検出部と、前記放射線発生部と前記放射線検出部とを回転させる回転機構部と、を備え、前記放射線検出部は、前記放射線を電気信号に変換する変換部と、前記電気信号を読み出す読出部とを有し、前記天板と前記変換部との間以外の領域に前記読出部が設けられている。
【発明の効果】
【０００７】
本発明によれば、撮影対象物のブラインド領域を低減することができる。
【図面の簡単な説明】
【０００８】
【図１】本発明の第１の実施形態に係る放射線撮影装置の内部構成の一例を示す図である。
【図２】図１とともに、本発明の第１の実施形態に係る放射線撮影装置の内部構成の一例を示す図である。
【図３】図１及び図２とともに、本発明の第１の実施形態に係る放射線撮影装置の内部構成の一例を示す図である。
【図４】本発明の第１の実施形態に係る放射線撮影装置において、放射線発生部と放射線検出部とを含む放射線撮影光学系を説明するための模式図である。
【図５】図１〜図３に示す放射線検出部の内部構成の一例を示す図である。
【図６】図１〜図３に示す放射線検出部の内部構成の他の一例を示す図である。
【図７】本発明の第２の実施形態に係る放射線撮影装置の外観の一例を示す図である。
【図８】図７に示す筐体の内部構成の一例を示す図である。
【発明を実施するための形態】
【０００９】
以下に、図面を参照しながら、本発明を実施するための形態（実施形態）について説明する。
【００１０】
（第１の実施形態）
まず、本発明の第１の実施形態について説明する。
【００１１】
図１は、本発明の第１の実施形態に係る放射線撮影装置１００−１の内部構成の一例を示す図である。本実施形態では、放射線撮影装置１００−１として、放射線を用いて撮影対象物を走査してコンピュータによる画像処理によって撮影対象物の内部画像を構成する、いわゆるコンピュータ断層撮影（Ｃｏｍｐｕｔｅｄ  Ｔｏｍｏｇｒａｐｈｙ：ＣＴ）装置を適用した例について説明する。
【００１２】
放射線撮影装置１００−１は、図１に示すように、天板１１０、放射線発生部１２０、放射線検出部１３０、回転機構部１４０、表示部１５０、及び、制御部１６０を有して構成されている。
【００１３】
天板１１０は、被検者２００と接触する接触板である。具体的に、本実施形態における天板１１０は、図１に示すように被検者２００が伏臥位の状態で被検者２００と接触する、筐体（寝台）の天板である。この天板１１０には、被検者２００の一部である乳房２１０を挿入するための開口部１１１が設けられている。本実施形態では、この開口部１１１に挿入された乳房２１０が、放射線撮影の対象である「撮影対象物」に相当する。
【００１４】
放射線発生部１２０は、被検者２００と接触する天板１１０の開口部１１１から挿入された被検者２００の乳房２１０に対して、Ｘ線等の放射線を発生させるものである。具体的に、放射線発生部１２０は、放射線を出力する放射線出力部１２１と、放射線出力部１２１から出力された放射線の透過を制限するウェッジフィルター１２２を有して構成されている。そして、本実施形態においては、図１に示すように、放射線出力部１２１からウェッジフィルター１２２を介して乳房２１０及び放射線検出部１３０に向けて、四角錐のコーンビームの放射線１２３を出力する。この放射線１２３は、図１に示すように、天板１１０の面であって開口部１１１から挿入された乳房２１０が突き出る側の面（図１では下側の面）の部分にも照射されるため、撮影対象物である乳房２１０の付け根のブラインド領域を低減することが可能である。
【００１５】
放射線検出部１３０は、撮影対象物である乳房２１０を間に挟んで放射線発生部１２０と対向する位置に配置され、放射線発生部１２０で発生させた放射線１２３を検出する。
【００１６】
回転機構部１４０は、撮影対象物である乳房２１０を間に挟んで放射線発生部１２０と放射線検出部１３０とを天板１１０の直下で回転させる機構部である。ここで、本実施形態に係る放射線撮影装置１００−１では、回転機構部１４０の回転軸１４１が開口部１１１の中心になるように構成されているものとする。
【００１７】
表示部１５０は、被検者２００或いは撮影技師等の検者に対して各種の画像や各種の情報を表示するものである。具体的に、表示部１５０には、乳房２１０の放射線画像や被検者２００を特定する患者情報等が表示される。なお、表示部１５０を検者が視認する形態の場合には、表示部１５０に当該検者による操作入力を受け付ける操作部としての機能を具備する形態をとり得る。また、表示部１５０を被検者２００のみが視認する形態の場合には、表示部１５０とは別個に、検者が使用する表示部（上述した操作部としての機能を具備する表示部）を設ける形態をとり得る。
【００１８】
制御部１６０は、放射線撮影装置１００−１の各構成部を制御して放射線撮影装置１００−１の動作を統括的に制御するとともに、各種の処理を行う。例えば、制御部１６０は、乳房２１０を放射線撮影する際に、放射線発生部１２０から放射線１２３を発生させるタイミング等の制御や、放射線検出部１３０で放射線１２３を検出するタイミング等の制御、回転機構部１４０による回転の制御等を行う。また、例えば、制御部１６０は、放射線検出部１３０から電気信号である検出信号を取得し、乳房２１０の放射線画像（詳細には放射線断層画像）を生成する。さらに、制御部１６０は、生成した放射線画像を表示部１５０等に表示する表示制御も行う。
【００１９】
図２は、図１とともに、本発明の第１の実施形態に係る放射線撮影装置１００−１の内部構成の一例を示す図である。具体的に、図２は、図１に示す被検者２００側から天板１１０よりも筐体（寝台）の内部を見た図を示している。この図２において、図１に示す構成と同様の構成については同じ符号を付しており、その詳細な説明は省略する。また、この図２では、図１に示す構成の全ては図示していない。また、この図２には、紙面の奥行方向（開口部１１１に対して乳房２１０を挿入する方向）をｚ方向とし、天板１１０に載置される被検者２００の脚から頭部の方向をｙ方向とし、このｚ方向及びｙ方向と直交する方向をｘ方向としたｘｙｚ座標系を示している。
【００２０】
この図２に示すように、本実施形態においては、放射線発生部１２０は、開口部１１１に挿入される乳房２１０の一部の領域を照射する放射線１２３を発生させるように構成されている。
【００２１】
図３は、図１及び図２とともに、本発明の第１の実施形態に係る放射線撮影装置１００−１の内部構成の一例を示す図である。この図３において、図１及び図２に示す構成と同様の構成については同じ符号を付しており、その詳細な説明は省略する。具体的に、この図３は、放射線撮影装置１００−１の側面図を示している。また、この図３には、図２に示すｘｙｚ座標系に対応するｘｙｚ座標系を示している。
【００２２】
また、この図３に示す放射線撮影装置１００−１には、天板１１０上に、頭部当て部１１２及び腹部当て部１１３が設けられている。頭部当て部１１２は、図１に示すように被検者２００が伏臥位の状態で被検者２００の頭部を受けるマット等の部材である。また、腹部当て部１１３は、図１に示すように被検者２００が伏臥位の状態で被検者２００の腹部を受けるマット等の部材である。
【００２３】
図４は、本発明の第１の実施形態に係る放射線撮影装置１００−１において、放射線発生部１２０と放射線検出部１３０とを含む放射線撮影光学系を説明するための模式図である。この図４において、図１〜図３に示す構成と同様の構成については同じ符号を付しており、その詳細な説明は省略する。
【００２４】
具体的に、図４（ａ）は、本実施形態に係る放射線撮影装置１００−１の放射線撮影光学系を示し、開口部１１１から挿入された乳房２１０の一部の領域に放射線１２３を照射するオフセットスキャンの様子を示す図である。また、図４（ｂ）は、比較例を示し、開口部１１１から挿入された乳房２１０の全領域に放射線４２３を照射するフルスキャンの様子を示す図である。
【００２５】
まず、本発明に係る図４（ａ）のオフセットスキャンについて説明する。
図４（ａ）において、点４１１は、放射線出力部１２１の放射線１２３を出力する部分を示している。また、図４（ａ）では、点４１１から放射線検出部１３０の配置位置４１３までの距離Ｌ１と、点４１１から回転軸１４１までの距離Ｌ２を記載している。図１〜図３に示すウェッジフィルター１２２は、図４に示すように、放射線１２３を透過させない第１のフィルター部１２２１と放射線１２３を透過させる第２のフィルター部１２２２を有して構成されており、形状が左右非対称のウェッジフィルターとなっている。本実施形態では、撮影対象物である乳房２１０の断面が概略円形であることを想定して、第２のフィルター部１２２２は、放射線１２３が乳房２１０を透過した後に放射線検出部１３０に到達する際にその到達線量が均等化されるための最適な角度θで形成されている。そして、この到達線量を均等化することにより、不必要な散乱線を防ぐことができる。
【００２６】
より具体的に、ウェッジフィルター１２２として放射線１２３を透過させない第１のフィルター部１２２１を設けることにより、開口部１１１の領域のうち、斜線で示した領域が撮影領域（Ｆｉｅｌｄ  Ｏｆ  Ｖｉｅｗ：ＦＯＶ）４１２となる。これにより、図４（ａ）に示すオフセットスキャンが実現される。また、ウェッジフィルター１２２として第２のフィルター部１２２２を設けることにより、放射線１２３の放射線検出部１３０への到達線量の均等化が実現される。
【００２７】
本実施形態では、図４（ａ）に示すように、放射線１２３による撮影領域４１２は、開口部１１１から挿入される乳房２１０の全領域未満の領域であって当該全領域の半分以上の領域である、乳房２１０の一部の領域を撮影する領域となっている。この撮影領域４１２を実現する放射線発生部１２０及び放射線検出部１３０を、回転機構部１４０によって開口部１１１の周囲を回転（１回転）させることにより、乳房２１０の全領域に係る放射線画像（詳細には放射線断層画像）を出力することができる。なお、本実施形態では、配置位置４１３に放射線検出部１３０を配置する例について説明したが、本発明においてはこれに限定されるものではなく、例えば、図４（ａ）において点線で示す配置位置４１４に放射線検出部１３０を配置するようにしてもよい。
【００２８】
次に、比較例に係る図４（ｂ）のフルスキャンについて説明する。
図４（ｂ）において、点４２１は、比較例に係る放射線出力部の放射線４２３を出力する部分を示している。また、図４（ｂ）では、点４２１から比較例に係る放射線検出部の配置位置４２５までの距離Ｌ１と、点４２１から比較例に係る回転機構部の回転軸１４１までの距離Ｌ３を記載している。図４（ｂ）に示すように、比較例に係るウェッジフィルター４２２は、放射線４２３を透過させる、形状が左右対称のウェッジフィルターとなっている。このため、図４（ｂ）に示す比較例では、放射線４２３による撮影領域４２４は、斜線で示した領域となり、開口部１１１から挿入される乳房２１０の全領域となっている。このため、距離Ｌ３は、距離Ｌ２よりも長くなっている。
【００２９】
本発明に係る図４（ａ）のオフセットスキャンと比較例に係る図４（ｂ）のフルスキャンとを比較すると、本発明に係るオフセットスキャンは、比較例に係るフルスキャンよりも、開口部１１１を大きくすることができる。即ち、本発明に係るオフセットスキャンの場合は、比較例に係るフルスキャンの場合と比較して、開口部１１１に挿入する撮影対象物がより大きい物まで放射線撮影を行うことができる。例えば、本発明の実施形態の場合には、乳房２１０のＡ区域、Ｂ区域、Ｃ区域及びＤ区域のみならず、Ｃ’区域も、撮影領域に含めることが可能となる。
【００３０】
また、本発明に係る図４（ａ）のオフセットスキャンは、比較例に係る図４（ｂ）のフルスキャンよりも、放射線検出部を小型化することができる。また、本発明に係る図４（ａ）のオフセットスキャンでは、撮影領域４１２が開口部１１１から挿入される乳房２１０の一部の領域となるため、撮影領域４２４が開口部１１１から挿入される乳房２１０の全領域となる比較例に係る図４（ｂ）のフルスキャンよりも、撮影対象物である乳房２１０の放射線被爆を低減することも可能となる。なお、図４（ａ）では、放射線１２３が開口部１１１の中心である回転軸１４１上を通る形態を示しているが、本発明においてはこの形態に限定されるものではなく、開口部１１１の中心である回転軸１４１を含む領域に放射線１２３を照射する形態であってもよい。
【００３１】
なお、本発明に係る図４（ａ）のオフセットスキャンは、比較例に係る図４（ｂ）のフルスキャンと比較して、撮影対象物である乳房２１０の放射線画像（詳細には放射線断層画像）を再構成する際に画質的劣る可能性も考えられる。例えば、フィルター補正逆投影法（ＦＢＰ法）で再構成する場合には、撮影領域の全部を包含する放射線を計算する過程でサイノグラム上での補間処理が発生し、この補間処理の過程でＭＴＦの劣化が発生する可能性がある。この劣化の対策として、本発明の実施形態では、例えば、撮影対象物である乳房２１０の放射線画像（詳細には放射線断層画像）を再構成する際に、上述したＦＰＢ法は使用せずに逐次近似法を使用することが考えられる。この逐次近似法では、撮影領域の全部を包含する放射線を計算する必要がないため、上述した補間処理は発生せず、その結果、ＭＴＦの劣化が発生しない。
【００３２】
図５は、図１〜図３に示す放射線検出部１３０の内部構成の一例を示す図である。この図５において、図１〜図３に示す構成と同様の構成については同じ符号を付しており、その詳細な説明は省略する。また、この図５には、図２及び図３に示すｘｙｚ座標系に対応するｘｙｚ座標系を示している。即ち、図５に示すｚ方向は、図３に示すように、開口部１１１から撮影対象物である乳房２１０を挿入する方向を示している。
【００３３】
図５に示す放射線検出部１３０は、入射した放射線１２３を電気信号（検出信号）に変換する変換部１３１と、変換部１３１から電気信号（検出信号）を読み出す読出部を含む信号処理部１３２を含み構成されている。具体的に、図５に示す放射線検出部１３０は、紙面左側に位置する変換部１３１−Ｌがｚ方向に複数設けられ、それぞれの変換部１３１−Ｌに対応する信号処理部１３２−Ｌがｚ方向に複数設けられている。同様に、図５に示す放射線検出部１３０は、紙面右側に位置する変換部１３１−Ｒがｚ方向に複数設けられ、それぞれの変換部１３１−Ｒに対応する信号処理部１３２−Ｒがｚ方向に複数設けられている。
【００３４】
また、図５では、天板１１０のｚ方向の長さに相当する天板１１０の厚みＤ１、天板１１０において開口部１１１から挿入された乳房２１０が突き出る側の面５０１と放射線検出部１３０において面５０１に対向する面５０２との間のｚ方向の長さＤ２、放射線検出部１３０の面５０２と変換部１３１との間のｚ方向の長さＤ３を図示している。そして、この図５に示す例の場合、開口部１１１に対して乳房２１０を挿入する方向であるｚ方向において、Ｄ１＋Ｄ２＋Ｄ３の長さが乳房２１０の付け根のブラインド領域となる。また、本実施形態においては、放射線検出部１３０の面５０２には、乳房２１０の付け根のブラインド領域の低減のために、放射線発生部１２０で発生させた放射線１２３が照射される。
【００３５】
変換部１３１は、例えばｘｚ平面に行列状に放射線検出素子が複数設けられて構成されている。そして、信号処理部１３２に含まれる読出部は、対応する変換部１３１の内部に設けられている各放射線検出素子から電気信号（検出信号）を読み出す処理を行う。また、本実施形態においては、変換部１３１の内部に設けられている各放射線検出素子は、結晶シリコン（クリスタルシリコン）を主材料として形成されているものとする。この結晶シリコンを主材料として形成される変換部１３１としては、ＣＭＯＳセンサが一例として挙げられる。この結晶シリコンを主材料として形成される変換部１３１を有する放射線検出部１３０の場合には、処理速度の関係（処理速度が速い）から、信号処理部１３２の内部に、変換部１３１を駆動させる駆動部を構成する形態をとり得る。なお、本発明においてはこの形態に限定されるものではなく、変換部１３１の内部に設けられている各放射線検出素子を、非晶質シリコン（アモルファスシリコン）を主材料として形成する形態も、本発明に適用可能である。そして、この非晶質シリコンを主材料として形成される変換部１３１を有する放射線検出部１３０の場合には、処理速度の関係（処理速度が遅い）から、例えば、ｚ方向において放射線検出部１３０の面５０３と変換部１３１との間の領域に、変換部１３１を駆動させる駆動部を構成する形態をとり得る。
【００３６】
また、例えば、図５に示す１つの変換部１３１は、ｚ方向の長さが２ｃｍ程度、ｘ方向の長さが１４ｃｍ程度で形成されている。また、例えば、図５に示す放射線検出部１３０では、変換部１３１がｚ方向に２０個程度設けられており、この場合、変換部１３１による放射線検出領域は、ｘ方向が２８ｃｍ程度でｚ方向が４０ｃｍ程度となっている。この場合、一般的に、乳房２１０のＡ区域、Ｂ区域、Ｃ区域、Ｄ区域及びＣ’区域も含み得る直径２５ｃｍ以上の開口部１１１を形成することが可能である。なお、ここで例示した変換部１３１による放射線検出領域の大きさは、一例であり、撮影対象物である乳房２１０の大きさによって、適宜変更可能である。
【００３７】
本実施形態に係る放射線検出部１３０では、図５に示すように、開口部１１１に対して乳房２１０を挿入する方向であるｚ方向において、天板１１０の面５０１と変換部１３１との間には、読出部（変換部１３１をＣＭＯＳセンサで形成する場合には、更に、駆動部）を含む信号処理部１３２を設けないようにしている。即ち、図５に示す放射線検出部１３０では、天板１１０の面５０１と変換部１３１との間以外の領域に読出部（変換部１３１をＣＭＯＳセンサで形成する場合には、更に、駆動部）を含む信号処理部１３２を設けるようにしている。具体的に、図５に示す放射線検出部１３０では、読出部（変換部１３１をＣＭＯＳセンサで形成する場合には、更に、駆動部）を含む信号処理部１３２を、変換部１３１に対して、天板１１０から変換部１３１に向かう方向（ｚ方向：開口部１１１に対して乳房２１０を挿入する方向）と交差する方向（ｘ方向）に設けるようにしている。この場合、読出部が電気信号を読み出す方向は、天板１１０の面５０１と略平行の方向となる。この図５に示す放射線検出部１３０を構成することにより、天板１１０の面５０１と変換部１３１との間に信号処理部１３２等を設ける場合と比較して、長さＤ３をより小さくすることができるため、Ｄ１＋Ｄ２＋Ｄ３の長さで定められる乳房２１０の付け根のブラインド領域を低減することが可能となる。
【００３８】
図６は、図１〜図３に示す放射線検出部１３０の内部構成の他の一例を示す図である。この図６において、図５に示す構成と同様の構成については同じ符号を付しており、その詳細な説明は省略する。また、この図６には、図５に示すｘｙｚ座標系と同様のｘｙｚ座標系を示している。即ち、図５に示すｚ方向は、図３に示すように、開口部１１１から撮影対象物である乳房２１０を挿入する方向を示している。
【００３９】
図５に示す放射線検出部１３０では変換部１３１及び信号処理部１３２をｚ方向に２列構成したのに対し、図６に示す放射線検出部１３０では変換部１３１及び信号処理部１３２をｚ方向に１列構成した点が異なっている。
【００４０】
また、例えば、図６に示す１つの変換部１３１は、ｚ方向の長さが２ｃｍ程度、ｘ方向の長さが２２ｃｍ程度で形成されている。また、例えば、図６に示す放射線検出部１３０では、変換部１３１がｚ方向に２０個程度設けられており、この場合、変換部１３１による放射線検出領域は、ｘ方向が２２ｃｍ程度でｚ方向が４０ｃｍ程度となっている。この場合も、一般的に、乳房２１０のＡ区域、Ｂ区域、Ｃ区域、Ｄ区域及びＣ’区域も含み得る直径２５ｃｍ以上の開口部１１１を形成することが可能である。なお、ここで例示した変換部１３１による放射線検出領域の大きさは、一例であり、撮影対象物である乳房２１０の大きさによって、適宜変更可能である。
【００４１】
この図６に示す放射線検出部１３０の場合も、図５と同様に、開口部１１１に対して乳房２１０を挿入する方向であるｚ方向において、天板１１０の面５０１と変換部１３１との間には、読出部（変換部１３１をＣＭＯＳセンサで形成する場合には、更に、駆動部）を含む信号処理部１３２を設けないようにしている。即ち、図６に示す放射線検出部１３０では、天板１１０の面５０１と変換部１３１との間以外の領域に読出部（変換部１３１をＣＭＯＳセンサで形成する場合には、更に、駆動部）を含む信号処理部１３２を設けるようにしている。具体的に、図６に示す放射線検出部１３０では、読出部（変換部１３１をＣＭＯＳセンサで形成する場合には、更に、駆動部）を含む信号処理部１３２を、変換部１３１に対して、天板１１０から変換部１３１に向かう方向（ｚ方向：開口部１１１に対して乳房２１０を挿入する方向）と交差する方向（ｘ方向）に設けるようにしている。この場合、読出部が電気信号を読み出す方向は、天板１１０の面５０１と略平行の方向となる。この図６に示す放射線検出部１３０を構成することにより、天板１１０の面５０１と変換部１３１との間に信号処理部１３２等を設ける場合と比較して、長さＤ３をより小さくすることができるため、Ｄ１＋Ｄ２＋Ｄ３の長さで定められる乳房２１０の付け根のブラインド領域を低減することが可能となる。
【００４２】
以上説明したように、第１の実施形態に係る放射線撮影装置１００−１では、放射線発生部１２０は、開口部１１１に挿入される乳房２１０の一部の領域を照射するようにしている。かかる構成によれば、図４（ａ）を用いて説明したように、図４（ｂ）に示す場合と比較して放射線検出部１３０の大きさを小型化することができる。
また、第１の実施形態に係る放射線撮影装置１００−１では、放射線発生部１２０は、天板１１０の面であって開口部１１１から挿入された乳房２１０が突き出る側の面５０１を照射する放射線１２３を発生させるようにしている。かかる構成によれば、乳房２１０の付け根のブラインド領域を低減することが可能となる。
さらに、第１の実施形態に係る放射線撮影装置１００−１では、放射線検出部１３０は、開口部１１１に対して乳房２１０を挿入する方向であるｚ方向において、天板１１０の面５０１と変換部１３１との間には、読出部（変換部１３１をＣＭＯＳセンサで形成する場合には、更に、駆動部）を含む信号処理部１３２を設けないようにしている。かかる構成によれば、天板１１０の面５０１と変換部１３１との間に信号処理部１３２等を設ける場合と比較して、長さＤ３をより小さくすることができるため、Ｄ１＋Ｄ２＋Ｄ３の長さで定められる乳房２１０の付け根のブラインド領域を低減することが可能となる。
【００４３】
（第２の実施形態）
次に、本発明の第２の実施形態について説明する。
【００４４】
図７は、本発明の第２の実施形態に係る放射線撮影装置１００−２の外観の一例を示す図である。具体的に、第１の実施形態に係る放射線撮影装置１００−１は、被検者２００を伏臥位の状態にして撮影対象物である乳房２１０を放射線撮影する装置であったが、図７に示す第２の実施形態に係る放射線撮影装置１００−２は、被検者２００が立位の状態で乳房２１０を放射線撮影する装置である。この図７において、図１〜図３に示す構成と同様の構成については同じ符号を付しており、その詳細な説明は省略する。また、この図７には、図２及び図３に示すｘｙｚ座標系に対応するｘｙｚ座標系を示している。
【００４５】
第２の実施形態に係る放射線撮影装置１００−２は、放射線発生部１２０と放射線検出部１３０とを含む放射線撮影機構を内蔵する筐体７１０と、筐体７１０を支持する支柱７２０を有して構成されている。放射線撮影を行う際、被検者２００は、立位の状態で天板１１０と接触する。
【００４６】
この第２の実施形態に係る放射線撮影装置１００−２では、図３に示すｘｙ面に配置した天板（接触板）１１０を、図７に示すｘｙ面に配置する形態となる（天板１１０以外の他の構成も、天板１１０の配置変更に伴って配置変更する）。
【００４７】
図８は、図７に示す筐体７１０の内部構成の一例を示す図である。この図８において、図１〜図３に示す構成と同様の構成については同じ符号を付しており、その詳細な説明は省略する。なお、第２の実施形態に係る放射線撮影装置１００−２においても、第１の実施形態における回転機構部１４０、表示部１５０及び制御部１６０が設けられているが、図８では、これらの構成部の図示は省略している。
【００４８】
図７に示す筐体７１０には、天板１１０の開口部１１１から挿入された乳房２１０が撮影領域に収まるように乳房２１０を保持する乳房保持部１７０が設けられている。この乳房保持部１７０は、放射線１２３を透過する材料で形成されている。
【００４９】
この第２の実施形態に係る放射線撮影装置１００−２においても、第１の実施形態と同様に、放射線検出部１３０の小型化を実現しつつ、撮影対象物である乳房２１０のブラインド領域を低減することができる。
【００５０】
（その他の実施形態）
上述した本発明の実施形態では、放射線撮影の対象である撮影対象物として、被検者２００の乳房２１０を適用する例について説明を行った。しかしながら、本発明における撮影対象物としては、この乳房２１０に限定されるものではなく、開口部１１１に挿入可能な被検者２００の一部であれば他の部分（例えば、被検者２００の四肢）も、適用可能である。
【００５１】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００５２】
１００：放射線撮影装置、１１０：天板、１１１：開口部、１２０：放射線発生部、１２１：放射線出力部、１２２：ウェッジフィルター、１２３：放射線、１３０：放射線検出部、１４０：回転機構部、１４１：回転軸、１５０：表示部、１６０：制御部
【図１】
2019055127.tif 000003
【図２】
2019055127.tif 000004
【図３】
2019055127.tif 000005
【図４】
2019055127.tif 000006
【図５】
2019055127.tif 000007
【図６】
2019055127.tif 000008
【図７】
2019055127.tif 000009
【図８】
2019055127.tif 000010